(57)【要約】【課題】ＩＰ音声通話中に相手端末が圏外に移動して通話不可能になった場合に、相手端末が圏外状態であることを確認して、自端末の呼接続状態を切断することでネットワークへの負担を軽減し、ＩＰ音声通話を終了することでユーザの金銭的な負担を軽減する。【解決手段】ＩＰ音声通話時のＲＴＴをＮ秒間隔で計測し、データ送受信の遅延が発生して、ＲＴＴの計測値がＲＴＴの許容時間よりも大きくなった場合には、自端末から相手端末に相手端末確認用ＳＭＳメッセージを送信する。相手端末から応答が無く、ＩＰ網側サーバから圏外通知のＳＭＳメッセージを受信した場合は、相手端末が圏外状態であると認識して、ＩＰ音声通話の切断処理を行う。【選択図】図１
2008167078.tif 000002
【特許請求の範囲】
【請求項１】
信号の送受信を行う送受信手段と、
パケットを生成するパケット生成手段と、
相手端末確認用メッセージを生成するメッセージ生成手段と、
通信中に、所定間隔で前記パケットの送受信を相手端末との間で行ってパケット送受信の往復遅延時間を計測して往復遅延許容時間を求め、新たに計測した往復遅延時間値が、前記往復遅延許容時間よりも大きい場合は、相手端末に前記相手端末確認用メッセージを送信し、相手端末から相手端末確認用メッセージに対する応答が無く、網側サーバから相手端末の圏外通知のメッセージを受信した場合は、通信を切断する制御手段と、
を備えることを特徴とする携帯電話端末。
【請求項２】
表示手段を更に備え、前記制御手段は、網側サーバから相手端末の圏外通知のメッセージを受信すると、当該メッセージに関する情報を前記表示手段に表示するように制御することを特徴とする請求項１に記載の携帯電話端末。
【請求項３】
前記往復遅延時間は、相手端末に送るＲＴＣＰのＳＲパケットと相手端末から送られてくるＲＴＣＰのＲＲパケットを用いて計測することを特徴とする請求項１または２に記載の携帯電話端末。
【請求項４】
所定間隔でパケットの送受信を相手端末との間で行ってパケット送受信の往復遅延時間を計測して往復遅延許容時間を求め、新たに計測した往復遅延時間値が、前記往復遅延許容時間よりも大きい場合は、相手端末に相手端末確認用メッセージを送信し、相手端末から前記相手端末確認用メッセージに対する応答が無く、網側サーバから相手端末の圏外通知のメッセージを受信した場合は、相手端末が圏外状態であると判定することを特徴とする圏外判定方法。
【発明の詳細な説明】
【技術分野】
【０００１】
本発明は、相手端末の圏内・圏外状態を確認できる携帯電話端末および圏外判定方法に関するものである。
【背景技術】
【０００２】
従来の有線を利用したＩＰ電話技術では、ＳＩＰ（Ｓｅｓｓｉｏｎ  Ｉｎｉｔｉａｔｉｏｎ  Ｐｒｏｔｏｃｏｌ）、ＲＴＣＰ（ＲＴＰ  Ｃｏｎｔｒｏｌ  Ｐｒｏｔｏｃｏｌ）等のプロトコルを使用して、ＩＰ網を使用した音声通話を実現しているが、有線での電話サービスを前提としているため、無線通信特有の圏外移行動作時におけるＩＰ電話呼制御については考慮されていない。
【０００３】
特許文献１に記載のＩＰ電話システムでは、着呼を検出した際に、端末装置との通信リンクを形成していない場合に不在情報を通知するが、通話中に通信リンクが切断される場合は想定されていない。
【特許文献１】特開２００５−２０５４５
【発明の開示】
【発明が解決しようとする課題】
【０００４】
上述のように、従来の有線を利用したＩＰ電話技術における呼制御では、携帯電話技術に見られるような通話中の圏外移行の概念が無い。したがって、通話中に相手端末が圏外に移動して通話不可能になった場合に、相手端末が圏外状態になったことを知ることができない。また、相手端末が通話中に圏外状態に遷移した場合には、相手端末から終話メッセージを受信することができず、自端末の呼接続状態が継続されるためネットワークに負担をかける。さらに、相手端末が圏外状態であることを認識できずに通話を継続した場合に、自端末で無駄なＩＰ音声パケットが発生するためユーザへの金銭的な負担がかかる。
【０００５】
本発明は、このような問題点に鑑みてなされたものであり、本発明の目的は、ＩＰ音声通話中に相手端末が圏外に移動して通話不可能になった場合に、相手端末が圏外状態であることを確認して、自端末の呼接続状態を切断することでネットワークへの負担を軽減し、ＩＰ音声通話を終了することでユーザの金銭的な負担を軽減することのできる携帯電話端末および圏外判定方法を提供することにある。
【課題を解決するための手段】
【０００６】
上記目的を達成するため、本発明の携帯電話端末は、信号の送受信を行う送受信手段と、パケットを生成するパケット生成手段と、相手端末確認用メッセージを生成するメッセージ生成手段と、通信中に、所定間隔で前記パケットの送受信を相手端末との間で行ってパケット送受信の往復遅延時間を計測して往復遅延許容時間を求め、新たに計測した往復遅延時間値が、前記往復遅延許容時間よりも大きい場合は、相手端末に前記相手端末確認用メッセージを送信し、相手端末から相手端末確認用メッセージに対する応答が無く、網側サーバから相手端末の圏外通知のメッセージを受信した場合は、通信を切断する制御手段とを備えることを特徴とする。
【０００７】
また、表示手段を更に備え、前記制御手段は、網側サーバから相手端末の圏外通知のメッセージを受信すると、当該メッセージに関する情報を前記表示手段に表示するように制御することが好ましい。
【０００８】
前記往復遅延時間は、相手端末に送るＲＴＣＰのＳＲパケットと相手端末から送られてくるＲＴＣＰのＲＲパケットを用いて計測することが好ましい。
【０００９】
また、本発明の圏外判定方法は、所定間隔でパケットの送受信を相手端末との間で行ってパケット送受信の往復遅延時間を計測して往復遅延許容時間を求め、新たに計測した往復遅延時間値が、前記往復遅延許容時間よりも大きい場合は、相手端末に相手端末確認用メッセージを送信し、相手端末から前記相手端末確認用メッセージに対する応答が無く、網側サーバから相手端末の圏外通知のメッセージを受信した場合は、相手端末が圏外状態であると判定することを特徴とする。
【発明の効果】
【００１０】
本発明は、ＩＰ音声通話中に相手端末が圏外に移動して通話不可能になった場合に、相手端末が圏外状態であるか否かを判定し、相手端末が圏外状態である場合には、自端末の呼接続状態を切断できるためネットワークへの負担を軽減することができ、また、ＩＰ音声通話を終了することで無駄なＩＰ音声パケットを送信することがなくなるためユーザへの金銭的な負担（パケット代）を軽減することができる。
【発明を実施するための最良の形態】
【００１１】
本発明の実施の形態について図面を参照して説明する。図１は、本発明の実施の形態に係る携帯電話端末のシステム構成図である。ＩＰ携帯電話端末１００は、アンテナ１０１と、送受信部（送受信手段）１０２と、制御部（制御手段）１０３と、ＳＭＳメッセージ生成部（メッセージ生成手段）１０４と、ＳＲ・ＲＲパケット生成部（パケット生成手段）１０５と、音声変復調部１０６と、スピーカ１０７と、表示装置１０８と、マイク１０９と、メモリ１１０とにより構成される。
【００１２】
送受信部１０２は、ＩＰ網側のサーバと基地局を介して信号の送受信を行い、音声変復調部１０６は、送受信部１０２から送られてくる音声データをデコードしてスピーカ１０７に出力し、マイク１０９から取得した音声データをエンコードして送受信部１０２に出力する。また、ＳＭＳメッセージ生成部（メッセージ生成手段）１０４は、相手端末確認用のＳＭＳ（Ｓｈｏｒｔ  Ｍｅｓｓａｇｅ  Ｓｅｒｖｉｃｅ）メッセージを生成し、ＳＲ・ＲＲパケット生成部（パケット生成手段）１０５は、ＲＴＣＰのＳＲ（Ｓｅｎｄｅｒ  Ｒｅｐｏｒｔ）パケット、ＲＲ（Ｒｅｃｉｅｖｅｒ  Ｒｅｐｏｒｔ）パケットを生成する。
【００１３】
制御部（制御手段）１０３は、ＩＰ携帯電話端末１０の全体を制御するとともに、通信中に、所定間隔でＳＲ、ＲＲパケットの送受信を相手端末との間で行ってパケット送受信の往復遅延時間を計測して往復遅延時間の平均値を求め、新たに計測した往復遅延時間値が、平均値よりも大きい場合は、相手端末に相手端末確認用のＳＭＳメッセージを送信し、相手端末から相手端末確認用のＳＭＳメッセージに対する応答が無く、ＩＰ網側のサーバから相手端末の圏外通知のＳＭＳメッセージを受信した場合は、相手端末が圏外状態であると判定して、通信を切断する。
【００１４】
メモリ１１０には、ＲＴＣＰのＳＲパケットを送出した時間のデータが格納され、ＳＲパケットとＲＲパケットを用いて算出した往復遅延時間（ＲＴＴ）データの平均値のデータが格納される。また、メモリ１１１には、往復遅延時間（ＲＴＴ）を求めるためのアプリケーションプログラム、音声通話を行うためのアプリケーションプログラムなどが格納される。
【００１５】
図２は、ＩＰ携帯電話端末とＩＰ網側サーバとの間の処理手順を示すシーケンス図である。ＩＰ音声通話を開始するために、ユーザがＩＰ携帯電話端末Ａ（以下、端末Ａという）からＩＰ網側のサーバにＩＰ音声発信を行い、端末ＡとＩＰ網側のサーバとの間、およびＩＰ網側のサーバとＩＰ携帯電話端末Ｂ（以下、端末Ｂという）との間の無線を確立する処理を行う。次に、端末Ａとサーバとの間、およびサーバと端末Ｂとの間でＰＰＰ（Ｐｏｉｎｔ  ｔｏ  Ｐｏｉｎｔ  Ｐｒｏｔｏｃｏｌ）接続を確立し、端末Ａと端末Ｂとの間でＴＣＰによる接続を確立する。続いて、端末Ａと端末Ｂとの間で、ＴＣＰを用いてＳＩＰ音声呼制御を確立し、ＵＤＰを用いて音声データの送受信を行い、ＲＴＣＰを用いて送達確認を行ってＩＰ音声通話を開始する。
【００１６】
このとき、端末Ｂは、ＲＴＣＰのＳＲ（Ｓｅｎｄｅｒ  Ｒｅｐｏｒｔ）パケットとＲＲ（Ｒｅｃｅｉｖｅｒ  Ｒｅｐｏｒｔ）パケットを用いて往復遅延時間（ＲＴＴ：Ｒｏｕｎｄ  Ｔｒｉｐ  Ｔｉｍｅ）を一定の時間間隔（例えば５秒間隔）で算出する。図３は、往復遅延時間（ＲＴＴ）算出の手順を説明する図である。端末Ｂは、ＲＴＣＰのＳＲパケットを生成して送出するときに、その送出した時間を端末Ｂのメモリ１１０に記憶しておく。端末Ａは、ＳＲパケットを受信すると、ＳＲパケットを受信してからＲＲパケットを送出するまでの時間（時間ＴＡ）を計測し、その値をＲＲパケット内に記述して、端末ＢにＲＴＣＰのＲＲパケットを返送する。端末Ｂは、ＲＲパケットを受信すると、ＳＲパケットを送信してからＲＲパケットを受信するまでの時間（時間ＴＢ）を計測し、さらに、ＲＲパケットから時間ＴＡの値を取り出し、時間ＴＢから時間ＴＡを引くことによって往復遅延時間（ＲＴＴ）を算出する。
往復遅延時間（ＲＴＴ）＝時間ＴＢ−時間ＴＡ
【００１７】
図２に戻り、さらに、端末Ｂは、一定の時間間隔（例えば５秒間隔）で算出した往復遅延時間（ＲＴＴ）データを用いて、通信開始時からの往復遅延時間（ＲＴＴ）の平均値を算出する。
【００１８】
ここで、通話中に端末Ａが圏外状態になると、端末Ｂは、端末Ａに音声データを送信するが、端末Ｂからの音声データ・通信制御データは端末Ａに届かない。圏外状態のため端末Ａは、ＩＰ音声通話終了等のメッセージも端末Ｂに送信できない。この状態では、端末Ｂのユーザは端末Ａから応答が返ってこない理由が分からない。例えば、相手が返事をしていないのか、相手は返事をしているものの音声データに遅延が発生しているのか、圏外状態で通話できない状態なのかの区別ができない。
【００１９】
端末Ｂは、一定の時間間隔で算出する往復遅延時間（ＲＴＴ）の値が、往復遅延時間（ＲＴＴ）の平均値に許容偏差値を加えた値よりも大きくなった場合は、端末Ａの状態（圏内・圏外）を確認するために、端末Ａに相手端末確認用のＳＭＳ（Ｓｈｏｒｔ  Ｍｅｓｓａｇｅ  Ｓｅｒｖｉｃｅ）メッセージを生成して送信する。なお、許容偏差値は、往復遅延時間が携帯電話端末の受信環境によって絶えず変わることを考慮したものであり、確実に相手端末が圏外であると判定できるように、必要に応じて定めることが好ましい。
【００２０】
端末Ａが圏内である場合には、相手端末確認用のＳＭＳメッセージが端末Ａに到達し、端末Ａから端末Ｂに、応答のＳＭＳメッセージが返送されるので、端末Ｂは、端末Ａが圏内状態であることが確認できる。一方、端末Ａが圏外状態である場合は、相手端末確認用のＳＭＳメッセージが端末Ａに到達せず、相手端末確認用のＳＭＳメッセージは、ＩＰ網側のサーバに蓄積され、端末Ｂには、ＩＰ網側のサーバから端末Ａが圏外であることを通知するＳＭＳメッセージが送信される。
【００２１】
端末Ｂは、ＩＰ網側のサーバから相手端末Ａが圏外であることを通知するメッセージを受信すると、ＩＰ音声通話切断処理を開始し、ＴＣＰによる接続を切断し、端末ＢとＩＰ網側のサーバ間の無線を切断し、ＩＰ音声通話を終了する。
【００２２】
端末Ａは、圏内に復帰し、ＩＰ網側のサーバから相手端末確認用のＳＭＳメッセージを受信すると、自動的に圏内復帰のＳＭＳメッセージを送信して端末Ｂに圏内に復帰したことを通知する。
【００２３】
図４は、ＩＰ携帯電話端末（端末Ｂ）の動作を説明するフロー図である。ＩＰ携帯電話端末の制御部は、相手端末との間で無線を確立し、さらにＰＰＰ接続、ＴＣＰ接続、ＳＩＰ音声呼制御を確立し、ＵＤＰを用いて音声データの送受信を開始すると（ステップ１００）、ＲＴＣＰのＳＲパケットとＲＲパケットを用いてＮ秒間隔（例えば５秒間隔）でパケット送受信の往復遅延時間（ＲＴＴ）を計測する（ステップ１１０）。次に、ＩＰ音声通話開始時からＮ秒間隔で取得した往復遅延時間（ＲＴＴ）データの平均値を求め、端末内部のメモリ１１０に保存しておく（ステップ１２０）。
【００２４】
次に、計測した往復遅延時間（ＲＴＴ）値と、平均値に許容偏差値を加えた値とを比較してネットワークの遅延状態を判断する（ステップ１３０）。ネットワークで遅延が生じていない場合（往復遅延時間が平均値＋許容偏差値よりも小さい場合）は、ステップ１００に戻る。ステップ１３０において、ネットワークで遅延が生じている場合（往復遅延時間が平均値＋所定偏差値よりも大きい場合）は、相手端末に相手端末確認用のＳＭＳメッセージを送信する（ステップ１４０）。
【００２５】
次に、ＳＭＳメッセージの受信を確認し（ステップ１５０）、相手端末から相手端末確認用のＳＭＳメッセージに対する応答が有った場合は、ステップ１００に戻る。相手端末から相手端末確認用のＳＭＳメッセージに対する応答が無く、ＩＰ網側サーバから相手端末の圏外通知のＳＭＳメッセージを受信した場合は、相手端末が圏外状態であると判定し、ＩＰ音声通話で使用しているＴＣＰ／ＩＰ、ＵＤＰソケットを切断する（ステップ１６０）。さらに、ソケット切断後に無線を切断し、相手端末が圏外状態であることを表示装置１０８に表示してユーザに通知する（ステップ１７０）。
【００２６】
上述のように、本発明は、ＩＰ音声通話中に相手端末が圏外に移行して通話不可能になった場合に、相手端末が圏外状態になったことを認識して、自端末の呼接続状態を切断し、ソケット・無線のリソースを開放することでネットワークの負荷を軽減することができる。さらに、ＩＰ音声通話を終了することで無駄なＩＰ音声パケットを送信することがなくなるためユーザへの金銭的な負担（パケット代）を軽減することができる。
なお、本実施の形態では、往復遅延時間の平均値に許容偏差値を加えた値を往復遅延許容時間としたが、往復遅延時間の平均値を往復遅延許容時間としても構わない。
【図面の簡単な説明】
【００２７】
【図１】本発明の実施の形態に係る携帯電話端末のシステム構成図である。
【図２】ＩＰ携帯電話端末とＩＰ網側サーバとの間の処理手順を示すシーケンス図である。
【図３】往復遅延時間算出の手順を説明する図である。
【図４】ＩＰ携帯電話端末の動作を説明するフロー図である。
【符号の説明】
【００２８】
１００  ＩＰ携帯電話端末
１０１  アンテナ
１０２  送受信部
１０３  制御部
１０４  ＳＭＳメッセージ生成部
１０５  ＳＲ・ＲＲパケット生成部
１０６  音声変復調部
１０７  スピーカ
１０８  表示装置
１０９  マイク
１１０  メモリ
【図１】
2008167078.tif 000003
【図２】
2008167078.tif 000004
【図３】
2008167078.tif 000005
【図４】
2008167078.tif 000006